(57)【要約】【課題】ラベルライターが有するフルカッターの切れ味を良くすること。【解決手段】ラベルライターでは、フルカット用可動刃３２と、フルカット用固定刃３３と、フルカット用固定刃３３に対してフルカット用可動刃３２を回動させるためのフルカット用回動軸３４と、を備えたフルカッター３１を有する。そのフルカッター３１に対し、フルカット用固定刃３３の厚み方向において、フルカット用固定刃３３と隣接するスペーサー板７１を備える。そのスペーサー板７１のフルカット用係入部７２にフルカット用固定刃３３の先端部分３３Ａが係り合いながら入った状態にあることにより、フルカット用固定刃３３がその厚み方向であって、フルカット用可動刃３２とは他側への移動を規制される。従って、フルカット用回動軸３４から先端部分３３Ａまでのフルカット用固定刃３３は、固定されない。【選択図】図７
2012183800.tif 000002
【特許請求の範囲】
【請求項１】
フルカッターを有するラベルライターであって、
前記フルカッターは、
フルカット用可動刃と、
フルカット用固定刃と、
前記フルカット用固定刃に対して前記フルカット用可動刃を回動させるためのフ      ルカット用回動軸と、
前記フルカット用固定刃の厚み方向において、当該フルカット用固定刃と隣接す      るフルカット支持板を備え、
前記フルカット支持板は、前記フルカット用固定刃の先端部分が係り合いながら入った状態にあるフルカット用係入部を備え、
前記フルカット用係入部により前記フルカット用固定刃が前記厚み方向への移動を規制されること、を特徴とするラベルライター。
【請求項２】
請求項１に記載するラベルライターであって、
前記フルカット用係入部がフック形状であること、を特徴とするラベルライター。
【請求項３】
請求項１又は請求項２に記載するラベルライターであって、
ハーフカット用可動刃と、
前記ハーフカット用可動刃の受台になる固定受台と、
前記固定受台に対して前記ハーフカット用可動刃を回動させるためのハーフカット    用回動軸と、
を有するハーフカッターを備える一方、
前記フルカッターと前記ハーフカッターに挟まれた位置に配置され、前記フルカット支持板としてのスペーサー板と、
前記スペーサー板は、前記固定受台の先端部分が係り合いながら入った状態にあるハーフカット用係入部を備え、
前記スペーサー板の一面側に前記フルカット用係入部が設けられ、前記スペーサー板の他面側に前記ハーフカット用係入部が設けられ、両係入部により前記フルカット用固定刃および前記固定台が各々の厚み方向への移動を規制されること、を特徴とするラベルライター。
【請求項４】
印字媒体と剥離紙とが積層された無定長の印字テープを搬送方向とは直交する方向へ切断するはさみ式のフルカッターと、前記フルカッターの前記搬送方向の下流側にあって印字テープの印字媒体のみを前記搬送方向とは直交する方向へ切断するはさみ式のハーフカッターとを有するラベルライターであって、
前記フルカッターは、
フルカット用可動刃と、
フルカット用固定刃と、
前記フルカット用固定刃に対して前記フルカット用可動刃を回動させるためのフル    カット用回動軸と、
前記フルカット用固定刃の先端部分とは反対側の前記フルカット用回動軸の側にあ    る前記フルカット用固定刃の後端部分から、前記フルカット用回動軸の軸線方向と      は直交する方向へ、前記フルカット用固定刃に一体的に延伸したフルカット用固定      板と、を備え、
前記ハーフカッターは、
ハーフカット用可動刃と、
前記ハーフカット用可動刃の受台になる固定受台と、
前記固定受台に対して前記ハーフカット用可動刃を回動させるためのハーフカット      用回動軸と、
前記固定受台の先端部分とは反対側の前記ハーフカット用回動軸の側にある前記固      定受台の後端部分から、前記ハーフカット用回動軸の軸線方向とは直交する方向        へ、前記固定受台に一体的に延伸したハーフカット用固定板と、を備え、
前記フルカット用固定刃、前記フルカット用可動刃、前記固定受台、前記ハーフカット用可動刃は、前記搬送方向の上流側から下流側に対しては、前記フルカット用固定刃、前記フルカット用可動刃、前記固定受台、前記ハーフカット用可動刃の順に前記フルカット用回動軸の軸線方向に配置され、
前記フルカッターと前記ハーフカッターとに挟まれた樹脂製のスペーサー板を備え、
前記スペーサー板は、
その先端部分に、前記フルカット用固定刃の先端部分が係り合いながら入った状態にあることで前記フルカット用固定刃の前記搬送方向の上流側への移動を規制するフック形状をしたフルカット用係入部と、
その先端部分に、当該スペーサー板に隣接する前記固定受台の先端部分が係り合いながら入った状態にあるハーフカット用係入部と、を備え、
前記フルカット用係入部と前記フルカット用固定板とで前記フルカット用固定刃が固定され、
前記ハーフカット用係入部と前記ハーフカット用固定板とで前記固定受台が固定され、
前記スペーサー板の一面側に前記フルカット用係入部が設けられるとともに前記フルカット用固定板が当接され、
前記スペーサー板の他面側に前記ハーフカット用係入部が設けられるとともに前記ハーフカット用固定板が当接されたこと、を特徴とするラベルライター。
【発明の詳細な説明】
【技術分野】
【０００１】
本発明は、フルカッターを有するラベルライターに関するものである。
【背景技術】
【０００２】
従来のラベルプリンターには、フルカッターを有するラベルライターがある。例えば、下記特許文献１に記載された印刷装置は、フルカット機能を有する第１の切断機構を有している。その第１の切断機構では、固定刃の全体が装置本体のシャーシに固定されている。
【先行技術文献】
【特許文献】
【０００３】
【特許文献１】特開２００８−８０４４８号公報
【発明の概要】
【発明が解決しようとする課題】
【０００４】
すなわち、固定刃の全体が装置本体のシャーシに固定されているため、はさみ性能に影響を及ぼす「ソリ」や「ネジリ」が失われた状態にある。そのため、フルカッターの切れ味が悪いものになっていた。
【０００５】
そこで、本発明は、上述した点を鑑みてなされたものであり、ラベルライターが有するフルカッターの切れ味を良くすることを課題とする。
【課題を解決するための手段】
【０００６】
この課題を解決するためになされた発明は、フルカッターを有するラベルライターであって、前記フルカッターは、フルカット用可動刃と、フルカット用固定刃と、前記フルカット用固定刃に対して前記フルカット用可動刃を回動させるためのフルカット用回動軸と、前記フルカット用固定刃の厚み方向において、当該フルカット用固定刃と隣接するフルカット支持板を備え、前記フルカット支持板は、前記フルカット用固定刃の先端部分が係り合いながら入った状態にあるフルカット用係入部を備え、前記フルカット用係入部により前記フルカット用固定刃が前記厚み方向への移動を規制されること、を特徴とする。
【０００７】
さらに、この課題を解決するためになされた発明は、印字媒体と剥離紙とが積層された無定長の印字テープを搬送方向とは直交する方向へ切断するはさみ式のフルカッターと、前記フルカッターの前記搬送方向の下流側にあって印字テープの印字媒体のみを前記搬送方向とは直交する方向へ切断するはさみ式のハーフカッターとを有するラベルライターであって、前記フルカッターは、フルカット用可動刃と、フルカット用固定刃と、前記フルカット用固定刃に対して前記フルカット用可動刃を回動させるためのフルカット用回動軸と、前記フルカット用固定刃の先端部分とは反対側の前記フルカット用回動軸の側にある前記フルカット用固定刃の後端部分から、前記フルカット用回動軸の軸線方向とは直交する方向へ、前記フルカット用固定刃に一体的に延伸したフルカット用固定板と、を備え、前記ハーフカッターは、ハーフカット用可動刃と、前記ハーフカット用可動刃の受台になる固定受台と、前記固定受台に対して前記ハーフカット用可動刃を回動させるためのハーフカット用回動軸と、前記固定受台の先端部分とは反対側の前記ハーフカット用回動軸の側にある前記固定受台の後端部分から、前記ハーフカット用回動軸の軸線方向とは直交する方向へ、前記固定受台に一体的に延伸したハーフカット用固定板と、を備え、前記フルカット用固定刃、前記フルカット用可動刃、前記固定受台、前記ハーフカット用可動刃は、前記搬送方向の上流側から下流側に対しては、前記フルカット用固定刃、前記フルカット用可動刃、前記固定受台、前記ハーフカット用可動刃の順に前記フルカット用回動軸の軸線方向に配置され、前記フルカッターと前記ハーフカッターとに挟まれた樹脂製のスペーサー板を備え、その先端部分に、前記フルカット用固定刃の先端部分が係り合いながら入った状態にあることで前記フルカット用固定刃の前記搬送方向の上流側への移動を規制するフック形状をしたフルカット用係入部と、その先端部分に、当該スペーサー板に隣接する前記固定受台の先端部分が係り合いながら入った状態にあるハーフカット用係入部と、を備え、前記フルカット用係入部と前記フルカット用固定板とで前記フルカット用固定刃が固定され、前記ハーフカット用係入部と前記ハーフカット用固定板とで前記固定受台が固定され、前記スペーサー板の一面側に前記フルカット用係入部が設けられるとともに前記フルカット用固定板が当接され、前記スペーサー板の他面側に前記ハーフカット用係入部が設けられるとともに前記ハーフカット用固定板が当接されたこと、を特徴とする。
【発明の効果】
【０００８】
すなわち、本発明のラベルライターでは、フルカット用可動刃と、フルカット用固定刃と、フルカット用固定刃に対してフルカット用可動刃を回動させるためのフルカット用回動軸と、を備えたフルカッターを有する。そのフルカッターに対し、フルカット用固定刃の厚み方向において、フルカット用固定刃と隣接するフルカット支持板を備える。そのフルカット支持板のフルカット用係入部にフルカット用固定刃の先端部分が係り合いながら入った状態にあることにより、フルカット用固定刃がその厚み方向への移動を規制される。従って、フルカット用回動軸から先端部分までのフルカット用固定刃は、固定されておらず、はさみ性能に影響を及ぼす「ソリ」や「ネジリ」を確保することが可能となる。これにより、本発明のラベルライターでは、フルカッターの切れ味を良くすることができる。
【図面の簡単な説明】
【０００９】
【図１】本発明の一実施形態に係るラベルライターのスペーサー板が３方向から表された斜視図である。
【図２】同ラベルライターのカット機構とテープカセットとが表された斜視図である。
【図３】同ラベルライターのカット機構が表された斜視図である。
【図４】同ラベルライターのハーフカッターが表された斜視図である。
【図５】同ラベルライターのスペーサー板が表された斜視図である。
【図６】同ラベルライターのフルカッターが表された斜視図である。
【図７】同ラベルライターのハーフカッター、スペーサー板、及びフルカッターの取り付けを説明するための図である。
【図８】同ラベルライターのハーフカッター、スペーサー板、及びフルカッターが取り付けられた際の平面図である。
【図９】同ラベルライターのハーフカッター、スペーサー板、及びフルカッターを図８の切断線Ａ−Ａで切断した断面図である。
【図１０】同ラベルライターの外観斜視図である。
【図１１】同ラベルライターに装着されるテープカセットについて、その上蓋が開放されて、その内部構成が表された図である。
【発明を実施するための形態】
【００１０】
［１．本発明の構成］
以下、本発明の一実施形態を図面を用いて説明する。図１０に表された本実施の形態に係るラベルライター１は、フルカットとハーフカットを行うことが可能なものである。
【００１１】
本実施の形態に係るラベルライター１では、図２に表されたように、装着中のテープカセット１１から搬送方向１２へ無定長の印字テープ１３が搬送される。印字テープ１３は、印字媒体１３Ａと剥離紙１３Ｂとが積層された無定長のテープである。つまり、図１１に表されたように、テープカセット１１の印字テープ１３は、印字媒体１３Ａと剥離紙１３Ｂとが貼り合わされた所謂ラミネートタイプのものである。印字テープ１３は、さらに、カット機構２１に搬送される。
【００１２】
カット機構２１は、図３に表されたように、シャーシ２２、フルカッター３１、ハーフカッター５１、スペーサー板７１、駆動機構９１等を有する。フルカッター３１、ハーフカッター５１、スペーサー板７１、及び駆動機構９１は、ネジＳによって、シャーシ２２に固定される。ハーフカッター５１は、フルカッター３１から印字テープ１３（上記図２参照）の搬送方向１２の下流側（矢印方向）にある。駆動機構９１は、フルカッター３１とハーフカッター５１を選択的に駆動させるものである。
【００１３】
フルカッター３１は、図６に表されたように、印字テープ１３（上記図２参照）の搬送方向１２とは直交する方向へ切断するはさみ式のカッターである。フルカッター３１は、フルカット用可動刃３２、フルカット用固定刃３３、フルカット用回動軸３４、フルカット用固定板３５等を有する。
【００１４】
フルカット用可動刃３２は、曲部分３２Ａを有した「く」の字形状であり、駆動機構９１（上記図３参照）と連動するための長穴３２Ｂが設けられている。フルカット用固定刃３３は、先端部分３３Ａと後端部分３３Ｂを有する。
【００１５】
フルカット用回動軸３４は、フルカット用固定刃３３に対してフルカット用可動刃３２を回動させるためのものである。フルカット用回動軸３４は、フルカット用可動刃３２の曲部分３２Ａとフルカット用固定刃３３の後端部分３３Ｂとに設けられている。
【００１６】
フルカット用固定板３５は、フルカット用固定刃３３の先端部分３３Ａとは反対側のフルカット用回動軸３４の側にあるフルカット用固定刃３３の後端部分３３Ｂから、フルカット用回動軸３４の軸線方向３４Ａとは直交する方向へ、フルカット用固定刃３３に一体的に延伸したものである。フルカット用固定板３５には、シャーシ２２（上記図３参照）に固定するための複数のネジ穴３５Ａが設けられている。
【００１７】
図４に表したように、ハーフカッター５１は、印字テープ１３（上記図２参照）の印字媒体１３Ａのみを印字テープ１３の搬送方向１２とは直交する方向へ切断するはさみ式のカッターである。ハーフカッターは、ハーフカット用可動刃５２、固定受台５３、ハーフカット用回動軸５４、ハーフカット用固定板５５等を有する。
【００１８】
ハーフカット用可動刃５２は、先端部分５２Ａと中央部分５２Ｂを有する。ハーフカット用可動刃５２では、カッター刃５２Ｃがネジ５２Ｄで固定されている。ハーフカット用可動刃５２は、駆動機構９１（上記図３参照）に連結するための折曲部５２Ｅ及び穴５２Ｆを有する。固定受台５３は、ハーフカット用可動刃５２の受台になるものであり、先端部分５３Ａと後端部分５３Ｂを有する。
【００１９】
ハーフカット用回動軸５４は、固定受台５３に対してハーフカット用可動刃５２を回動させるためのものである。ハーフカット用回動軸５４は、ハーフカット用可動刃５２の中央部分５２Ｂと固定受台５３の後端部分５３Ｂ（の近傍）とに設けられている。
【００２０】
ハーフカット用固定板５５は、固定受台５３の先端部分５３Ａとは反対側のハーフカット用回動軸５４の側にある固定受台５３の後端部分５３Ｂから、ハーフカット用回動軸５４の軸線方向５４Ａとは直交する方向へ、固定受台５３に一体的に延伸したものである。ハーフカット用固定板５５には、シャーシ２２（上記図３参照）に固定するための複数のネジ穴５５Ａが設けられている。
【００２１】
図５に表されたように、スペーサー板７１は、先端部分７１Ａを有した樹脂製であり、フルカット用係入部７２とハーフカット用係入部７３が設けられている。さらに、スペーサー板７１は、シャーシ２２（上記図３参照）に固定するための複数のネジ穴７１Ｂが設けられている。
【００２２】
フルカット用係入部７２は、図１（ｂ）（ｃ）にも表されたように、スペーサー板７１の先端部分７１Ａに設けられ、フルカット用固定刃３３（上記図６参照）の先端部分３３Ａが係り合いながら入った状態にすることで、印字テープ１３（上記図２参照）の搬送方向１２の上流側（矢印側）へ、つまり、フルカット用固定刃３３の厚み方向であって、フルカット用可動刃３２とは他側へフルカット用固定刃３３が移動することを規制するフック形状をしたものである。
【００２３】
図１（ａ）（ｂ）にも表されたように、ハーフカット用係入部７３は、スペーサー板７１の先端部分７１Ａに設けられ、固定受台５３（上記図４参照）の先端部分５３Ａが係り合いながら入った状態にすることで、固定受台５３の厚み方向へ固定受台５３が移動することを規制するものである。尚、図１（ａ）に表された曲状溝７１Ｅは、ハーフカット用可動刃５２のネジ５２Ｄの逃げ溝である。また、図１（ｃ）に表された凸部７１Ｇは、フルカット用固定刃３３の先端部分３３Ａに当接する突起である。
【００２４】
図７の上段に表されたように、スペーサー板７１は、フルカッター３１とハーフカッター５１とに挟まれる。フルカッター３１では、フルカット用回動軸３４を介して、フルカット用固定刃３３に対してフルカット用可動刃３２が回動可能である。ハーフカッター５１では、ハーフカット用回動軸５４を介して、固定受台５３に対してハーフカット用可動刃５２が回動可能である。
【００２５】
スペーサー板７１の一面側７１Ｃには、フルカット用係入部７２が設けられるとともに、フルカッター３１のフルカット用固定板３５が当接される。フルカット用係入部７２では、上述したように、フルカッター３１のフルカット用固定刃３３の先端部分３３Ａが係り合いながら入った状態にされる。フルカット用固定板３５は、ネジ穴３５Ａ、ネジ穴７１Ｂ、及びネジＳ（上記図３参照）を介して、スペーサー板７１に固定される。
【００２６】
これに対して、スペーサー板７１の他面側７１Ｄには、ハーフカット用係入部７３が設けられるとともに、ハーフカット用固定板５５が当接される。ハーフカット用係入部７３では、上述したように、ハーフカッター５１の固定受台５３の先端部分５３Ａが係り合いながら入った状態にされる。ハーフカット用固定板５５は、ネジ穴５５Ａ、ネジ穴７１Ｂ、及びネジＳ（上記図３参照）を介して、スペーサー板７１に固定される。
【００２７】
これにより、図７の下段にも表されたように、フルカット用係入部７２とフルカット用固定板３５とでフルカッター３１のフルカット用固定刃３３がスペーサー板７１に固定され、図７の下段や図８にも表されたように、ハーフカット用係入部７３とハーフカット用固定板５５とでハーフカッター５１の固定受台５３がスペーサー板７１に固定される。
【００２８】
このとき、フルカッター３１のフルカット用固定刃３３については、図９に表されたように、その先端部分３３Ａがフルカット用係入部７２に係り合いながら入った状態にされる。フルカット用係入部７２には、少なくともフルカット用可動刃３２（上記図７参照）の厚み以上の高さｔを有する凸部７１Ｇがスペーサー板７１を形成する板状部分に設けられ、それとフルカット用固定刃３３（の先端部分３３Ａ）とは隣接している。それによりスペーサー板７１の板状部分とフルカット用固定刃３３との間には適度な隙間が設けられ、その隙間にフルカット用可動刃３２が出入できるようになっている。また、フルカット用係入部７２は、ハーフカッター５１（上記図７参照）の固定受台５３の先端部分５３Ａが係り合いながら入った状態にされるハーフカット用係入部７３に対して表裏の関係にある。
【００２９】
以上より、図７に表されたように、印字テープ１３（上記図２参照）の搬送方向１２の上流側から下流側（矢印方向）に対しては、フルカット用固定刃３３、フルカット用可動刃３２、固定受台５３、ハーフカット用可動刃５２の順にフルカット用回動軸３４の軸線方向３４Ａに配置される。
【００３０】
この配置により、スペーサー板７１は、フルカット用固定刃３３及び固定受台５３に隣接される。つまり、スペーサー板７１は、フルカット用固定刃３３の厚み方向にて、フルカット用固定刃３３と隣接する。
【００３１】
［２．まとめ］
すなわち、本実施の形態に係るラベルライター１では、図７に表されたように、フルカット用可動刃３２と、フルカット用固定刃３３と、フルカット用固定刃３３に対してフルカット用可動刃３２を回動させるためのフルカット用回動軸３４と、を備えたフルカッター３１を有する。そのフルカッター３１に対し、フルカット用固定刃３３の厚み方向において、フルカット用固定刃３３と隣接するスペーサー板７１を備える。そのスペーサー板７１のフルカット用係入部７２にフルカット用固定刃３３の先端部分３３Ａが係り合いながら入った状態にあることにより、フルカット用固定刃３３がその厚み方向であって、フルカット用可動刃３２とは他側への移動を規制される。従って、フルカット用回動軸３４から先端部分３３Ａまでのフルカット用固定刃３３は、固定されておらず、フルカット用固定刃３３のはさみ性能に影響を及ぼす「ソリ」や「ネジリ」を確保することが可能となる。これにより、本実施の形態に係るラベルライター１では、フルカッター３１の切れ味を良くしつつ、カットする向きを規制することができる。
【００３２】
また、本実施の形態に係るラベルライター１では、フルカット用係入部７２がフック形状であり、フルカット用係入部７２とは係り合いながら入った状態にあるフルカット用固定刃３３の先端部分３３Ａが僅かに変位することができる（上記図９参照）。従って、フルカット用回動軸３４から先端部分３３Ａまでのフルカット用固定刃３３は、確保された「ソリ」や「ネジリ」の機能をより発揮しやすくなる。これにより、本実施の形態に係るラベルライター１では、フルカッター３の切れ味をより良くすることができる。
【００３３】
また、本実施の形態に係るラベルライター１では、図７に表されたように、フルカッター３１とハーフカッター５１に挟まれたスペーサー板７１を備えており、スペーサー板７１の一面側７１Ｃにフルカット用係入部７２が設けられ、スペーサー板７１の他面側７１Ｄにハーフカット用係入部７３が設けられる。そのため、スペーサー板７１によって、フルカッター３１のフルカット用固定刃３３とハーフカッター５１の固定受台５５との間隔を一定にすることができる。よって、フルカット用回動軸３４でフルカット用固定刃３３に対して回動されるフルカッター３１のフルカット用可動刃３２の切断方向と、ハーフカット用回動軸５４で固定受台５３に対して回動されるハーフカッター５１のハーフカット用可動刃５２の切断方向とを平行にすることが可能となる。
【００３４】
また、本実施の形態に係るラベルライター１では、スペーサー板７１のフルカット用係入部７２にフルカット用固定刃３３の先端部分３３Ａが係り合いながら入った状態にある（上記図９参照）。従って、スペーサー板７１のフルカット用係入部７２によって、フルカット用固定刃３３の先端部分３３Ａである刃先を隠すことができる。
【００３５】
［３．その他］
尚、本発明は上記実施形態に限定されるものでなく、その趣旨を逸脱しない範囲で様々な変更が可能である。
【符号の説明】
【００３６】
１    ラベルライター
１２    搬送方向
１３    印字テープ
１３Ａ  印字媒体
１３Ｂ  剥離紙
３１    フルカッター
３２    フルカット用可動刃
３３    フルカット用固定刃
３３Ａ  フルカット用固定刃の先端部分
３４    フルカット用回動軸
３４Ａ  フルカット用回動軸の軸線方向
３５    フルカット用固定板
５１    ハーフカッター
５２    ハーフカット用可動刃
５３    固定受台
５３Ａ  固定受台の先端部分
５３Ｂ  固定受台の後端部分
５４    ハーフカット用回動軸
５４Ａ  ハーフカット用回動軸の軸線方向
５５    ハーフカット用固定板
７１    スペーサー板（フルカット支持板）
７１Ａ  スペーサー板の先端部分
７１Ｃ  スペーサー板の一面側
７１Ｄ  スペーサー板の他面側
７２    フルカット用係入部
７３    ハーフカット用係入部
ｔ    フルカット用可動刃の厚み以上
【図１】
2012183800.tif 000003
【図２】
2012183800.tif 000004
【図３】
2012183800.tif 000005
【図４】
2012183800.tif 000006
【図５】
2012183800.tif 000007
【図６】
2012183800.tif 000008
【図７】
2012183800.tif 000009
【図８】
2012183800.tif 000010
【図９】
2012183800.tif 000011
【図１０】
2012183800.tif 000012
【図１１】
2012183800.tif 000013